(57)【特許請求の範囲】
【請求項１】
複数のユニットを組み立てて建設されるユニット式建物の設計を行うユニット式建物設計用ＣＡＤで前記ユニットに付属する付属部品を入力するユニット式建物設計用ＣＡＤの付属部品入力システムであって、
ユニット入力手段と、ユニットコード割付手段と、判別手段と、変換手段と、設計要素データベースと、画像表示装置と、を備えたコンピュータシステムにより構成され、
前記設計要素データベースは、前記ユニット式建物の主要部分を構成する各主ユニット、およびこれらの主ユニットに付属する付属部品としてユニット化された各付属ユニットの情報を含んで構成され、
前記ユニット入力手段は、前記画像表示装置の画面上に表示され、かつ、前記ユニット式建物の各階毎に作図設計される各階用平面図若しくは屋根伏図からなる入力図上に、前記各主ユニットまたは各付属ユニットのいずれのユニットであるかを示すユニット種類およびそのユニットが配置される水平位置を、操作者の入力操作に基づいて入力し、
前記ユニットコード割付手段は、
前記ユニット入力手段により入力されたユニットに対して、そのユニットの種類に応じて予め設定されている種類コードを割り付ける種類コード割付部と、
前記ユニット入力手段により入力されたユニットに対して、そのユニットの入力作業が行われた入力図によって特定される所属階コードを割り付ける所属階コード割付部と、
前記ユニット入力手段により入力されたユニットに対して、そのユニットの水平位置に応じて設定される水平位置コードを割り付ける水平位置コード割付部とを有し、
前記判別手段は、前記ユニット入力手段により入力された付属ユニットが、この付属ユニットに割り付けられた種類コードの情報に基づいて、入力作業の行われた入力図によって示される階に所属するのかあるいはその下の階に所属するのかを判別し、
前記変換手段は、前記判別手段により前記入力図によって示される階の下の階に所属する付属ユニットと判別されたものについて、前記所属階コードを下の階を示す所属階コードに自動的に変換することを特徴とするユニット式建物設計用ＣＡＤの付属部品入力システム。
【発明の詳細な説明】
【０００１】
【発明の属する技術分野】
本発明は、ユニット式建物設計用ＣＡＤの付属部品入力システムに関し、複数のユニットを組み立てて建築されるユニット式建物の設計においてユニットに付属する付属部品を入力する際に利用される。
【０００２】
【背景技術】
プレハブ式建物は、工業化によるコスト低減および品質安定化等のメリットから、近年急速に普及するに至っている。
プレハブ式建物のうち、軸組みカーテンウォール工法は在来工法に近いものであり、工場生産された柱梁および壁用面材を組み立てて建築される。また、木質パネル工法は工場で生産されたパネルを現場で組み立てて建築される。
これらの各プレハブ工法の建物は、それぞれ軸材や面材等の単純な部材の集合体として構成される。
一方、プレハブ化建物のうち、ユニット工法は工場で箱形の建物ユニットを生産し、現場で組み立てるものであり、生産、輸送、現場施工が基本的にユニット単位である。
【０００３】
これらのプレハブ式建物は、企画建築として提供されることが一般的であった。企画建築とは、建物の間取りや外観形状等の概略から、組み込み設備の種類や内外装の仕様等の細部までを建物メーカーが設計したものである。
但し、企画建築であっても、顧客の要望に応じて、間取り、設備、仕様に関して幾つかのオプションを選択できる場合が多い。
【０００４】
しかし、近年では施主の要望が多様化しており、画一的な企画建物ないしオプション選択では十分な顧客満足が得られないようになっており、プレハブ建物においても多様な個別設計の注文建築への対応が要望されている。
ここで、注文建築への対応にあたっては、各建物毎に最初から設計しなおす必要があり、従来の企画住宅に比べて建物メーカーの設計作業が膨大化する。
このため、プレハブ式建物の注文対応には、作業を効率化するためにＣＡＤ（コンピュータ支援設計）システムの導入が必要となる。
【０００５】
このようなＣＡＤ化の要望に対し、以上に述べたプレハブ式建物のうちユニット工法により建てられるユニット式建物の設計を行うＣＡＤシステムとして、本願出願人により特願平６−２７３９６６号、特願平６−３２７６２９号、特願平７−３３８７号等に記載されたシステムが既に提案されている。
これらのシステムは、ＣＡＤシステム全体を基本設計と生産設計とに二分し、基本設計では建物の基本的なユニット配置までの概要（施主に見える部分の形状や仕様、施主が要望する機能等）を設計し、注文に応じた建物を表す必要最小限の事項をまとめ、施主打ち合わせにより設計変更が繰り返される部分の作業負荷を軽減するとともに、生産設計では基本設計で決まった内容に対応した詳細（施主の見えない部分の構造や部品構成）を設計することにより、ユニット単体レベルの複雑な生産設計をも効率的に処理できるようにしたものである。
【０００６】
【発明が解決しようとする課題】
ところで、ユニット式建物を構成するユニットには、階段等の各種の付属部品が設けられる。また、庇ユニットや軒先ユニット等のようにユニット式建物の主要部分を構成する主ユニットに付属する付属ユニットとして、ユニット化されて独立して設けられる付属部品もある。
【０００７】
これらの付属部品の種類や設置形態は、多様である。例えば、階段や玄関庇のように、その部品の性質上、設置される階の平面図上ではなく、主にその上の階の平面図上において示されるものがある。このような部品の入力は、上の階の平面図上で行われるが、基本設計を完了して生産設計に移る段階では、この入力情報は、下の階（設置される階）に所属しているべき設計情報である。また、当然のことながら、付属部品には、部品の入力作業を行った平面図で示される階にそのまま所属すべきものもある。
【０００８】
従って、付属部品を入力する際には、その部品の所属すべき階を判別しながら入力作業を行っていくことが要求され、オペレータが、このような判別を行いながら入力作業を行うとなると、手間がかかりオペレータの負担が増えるうえ、入力ミスが発生するおそれもあり、設計効率の向上を図ることができないという問題があった。このため、設計を円滑かつ確実に行うことができるようになる付属部品の入力方法および入力システムが望まれていた。
【０００９】
また、ユニット式建物の屋根には、寄棟屋根、切妻屋根、フラット屋根等の各種の形態の屋根がある。そして、これらの屋根には、庇ユニットや軒先ユニット等の付属部品が設けられる。この際、各種の形態の屋根のそれぞれについて、その形態に適した付属部品を複数種類あるいは複数形態用意して各々パターン化していたのでは、システムへのパターン登録量が増大してしまううえ、パターンが多いことから入力選択作業に手間がかかるという問題があった。
【００１０】
本発明の目的は、ユニット式建物の設計においてユニットに付属する付属部品を円滑かつ確実に入力することができるユニット式建物設計用ＣＡＤの付属部品入力システムを提供することにある。
【００１１】
【課題を解決するための手段】
本発明は、複数のユニットを組み立てて建設されるユニット式建物の設計を行うユニット式建物設計用ＣＡＤで前記ユニットに付属する付属部品を入力するユニット式建物設計用ＣＡＤの付属部品入力システムであって、ユニット入力手段と、ユニットコード割付手段と、判別手段と、変換手段と、設計要素データベースと、画像表示装置と、を備えたコンピュータシステムにより構成され、前記設計要素データベースは、前記ユニット式建物の主要部分を構成する各主ユニット、およびこれらの主ユニットに付属する付属部品としてユニット化された各付属ユニットの情報を含んで構成され、前記ユニット入力手段は、前記画像表示装置の画面上に表示され、かつ、前記ユニット式建物の各階毎に作図設計される各階用平面図若しくは屋根伏図からなる入力図上に、前記各主ユニットまたは各付属ユニットのいずれのユニットであるかを示すユニット種類およびそのユニットが配置される水平位置を、操作者の入力操作に基づいて入力し、前記ユニットコード割付手段は、前記ユニット入力手段により入力されたユニットに対して、そのユニットの種類に応じて予め設定されている種類コードを割り付ける種類コード割付部と、前記ユニット入力手段により入力されたユニットに対して、そのユニットの入力作業が行われた入力図によって特定される所属階コードを割り付ける所属階コード割付部と、前記ユニット入力手段により入力されたユニットに対して、そのユニットの水平位置に応じて設定される水平位置コードを割り付ける水平位置コード割付部とを有し、前記判別手段は、前記ユニット入力手段により入力された付属ユニットが、この付属ユニットに割り付けられた種類コードの情報に基づいて、入力作業の行われた入力図によって示される階に所属するのかあるいはその下の階に所属するのかを判別し、前記変換手段は、前記判別手段により前記入力図によって示される階の下の階に所属する付属ユニットと判別されたものについて、前記所属階コードを下の階を示す所属階コードに自動的に変換することを特徴とする。
【００１２】
また、本発明は、図面（主に後述の図１４）を参照して説明すると、複数のユニットを組み立てて建設されるユニット式建物の設計を行うユニット式建物設計用ＣＡＤで前記ユニットに付属する付属部品を入力するユニット式建物設計用ＣＡＤの付属部品入力方法であって、前記ユニット式建物１６０の主要部分を構成する各主ユニット１１０、およびこれらの主ユニット１１０に付属する付属部品としてユニット化された各付属ユニット１６１，１６２，１６３を、前記ユニット式建物１６０の各階毎に作図設計される各階用平面図若しくは屋根伏図からなる入力図上で入力する際に、これらの主ユニット１１０および付属ユニット１６１，１６２，１６３の各々に、ユニットの種類を示す種類コード（「Ｕ」、「Ｃ」、「Ｄ」等）と、所属階を示す所属階コード（「２」等）と、所属階における水平位置を示す水平位置コード（「０１」〜「０６」等）とを組み合せてなるユニットコード（「Ｕ２０１」等）を割り付けていくとともに、前記主ユニット１１０に割り付けられるユニットコードを組成する水平位置コードと、この主ユニット１１０に付属する付属ユニット１６１，１６２，１６３に割り付けられるユニットコードを組成する水平位置コードとを同一とし、かつ各入力図上で同一の水平位置に配置される主ユニット１１０に割り付けられるユニットコードを組成する水平位置コードを同一とすることを特徴とする。
【００１３】
ここで、上記ユニットコードを用いたユニット式建物設計用ＣＡＤの付属部品入力方法において、次のような処理を行うようにしてもよい。すなわち、図面（主に後述の図３３、図３５）を参照して説明すると、前記付属ユニット２７１，２８１に割り付けられるユニットコードを組成する所属階コードを、この付属ユニット２７１，２８１の入力作業の行われた入力図によって示される階に所属するものとして仮に割り付けておき、その後、この付属ユニット２７１，２８１に割り付けられたユニットコードを組成する種類コード「Ｒ」、「Ｙ」の情報に基づいてこの付属ユニット２７１，２８１が入力作業の行われた入力図によって示される階に所属するのかあるいはその下の階に所属するのかを判別し、この判別結果により前記入力図によって示される階の下の階に所属する付属ユニットとされたものについて前記所属階コードを下の階に自動的に変換する。
【００１４】
そして、本発明は、図面（主に後述の図１）を参照して説明すると、複数のユニットを組み立てて建設されるユニット式建物の設計を行うユニット式建物設計用ＣＡＤで前記ユニットに付属する付属部品を入力するユニット式建物設計用ＣＡＤの付属部品入力システム１０であって、前記ユニット式建物の主要部分を構成する各主ユニット、およびこれらの主ユニットに付属する付属部品としてユニット化された各付属ユニットを、前記ユニット式建物の各階毎に作図設計される各階用平面図若しくは屋根伏図からなる入力図上で入力するユニット入力手段３０と、このユニット入力手段３０により入力された主ユニットおよび付属ユニットの各々にユニットコードを割り付けるユニットコード割付手段４０とを備え、前記ユニットコード割付手段４０は、ユニットの種類を示す種類コードを割り付ける種類コード割付部４１と、所属階を示す所属階コードを割り付ける所属階コード割付部４２と、所属階における水平位置を示す水平位置コードを割り付ける水平位置コード割付部４３とを有し、このうち水平位置コード割付部４３は、前記主ユニットに割り付けられるユニットコードを組成する水平位置コードと、この主ユニットに付属する付属ユニットに割り付けられるユニットコードを組成する水平位置コードとを同一に割り付け、かつ、各入力図上で同一の水平位置に配置される主ユニットに割り付けられるユニットコードを組成する水平位置コードを同一に割り付ける構成とされたことを特徴とする。
【００１５】
ここで、上記ユニットコードを用いたユニット式建物設計用ＣＡＤの付属部品入力システム１０を次のような構成としてもよい。すなわち、前記ユニットコード割付手段４０の所属階コード割付部４２を、前記付属ユニットに割り付けられるユニットコードを組成する所属階コードをこの付属ユニットの入力作業の行われた入力図によって示される階に所属するものとして仮に割り付ける構成とし、さらに、この付属ユニットに割り付けられたユニットコードを組成する種類コードの情報に基づいてこの付属ユニットが入力作業の行われた入力図によって示される階に所属するのかあるいはその下の階に所属するのかを判別する判別手段５０と、この判別手段５０により前記入力図によって示される階の下の階に所属する付属ユニットと判別されたものについて前記所属階コードを下の階に自動的に変換する変換手段６０とを備えた構成とする。
【００１６】
このような本発明においては、多様な種類や設置形態の付属部品を入力するに際し、付属部品をある入力図で示される階で仮に入力しておき、付属部品の種類毎に定められたルールを参照することにより、その付属部品が本来下の階に所属するべきものと判別した場合（例えば、付属部品が階段や玄関庇等の場合）には、この付属部品を本来の所属階に自動的に配置し直すようにしたので、オペレータが、このような判別を行いながら入力作業を行う必要がなくなり、オペレータの負担が軽減されるうえ、入力ミスの発生のおそれも解消される。このため、付属部品の円滑かつ確実な入力が実現され、設計効率の向上が図られる。
【００１７】
また、種類コード、所属階コード、および水平位置コードを組み合わせてなるユニットコードを用いることにより、主ユニットとこの主ユニットに付属する付属ユニットとを関連づけて、付属ユニットの入力を行うので、入力した設計情報が効率よく整理され、その後に行う生産設計や工場生産においても入力情報が錯綜する等の不都合なく、確実に情報伝達が行われるようになり、円滑かつ確実な設計や生産が行われるようになる。
【００１８】
そして、このようなユニットコードを用いた付属部品の入力を例えばユニット式建物の屋根について適用した場合には、寄棟屋根、切妻屋根、フラット屋根等の各種形態の屋根を形成するための屋根ユニット（主ユニット）と、これらの屋根ユニットに付属する庇ユニットや軒先ユニット等の各種の付属部品（付属ユニット）とを分けてシステムに登録しておき、これらの設計情報を組み合せることで様々な屋根のバリエーション展開に対応可能となるうえ、各種形態の屋根とその付属部品とを分けて登録しない従来の場合に比べ、システムへのパターン登録量が減少するため、入力時の検索時間が短縮され、設計作業の迅速化が図られる。
【００１９】
さらに、ユニットコードを用いた付属部品の入力において、付属ユニットの本来所属する階の判別およびその階への設計情報の変換を自動的に行うようにした場合には、ユニットコードを用いた入力による効果に、自動判別および自動変換による効果が加わるため、設計効率の向上がより一層図られ、これらにより前記目的が達成される。
【００２０】
【発明の実施の形態】
以下、本発明の一実施形態を図面に基づいて説明する。
図１には、本実施形態のユニット式建物設計用ＣＡＤの付属部品入力システム１０の構成が示されている。
付属部品入力システム１０による設計対象であるユニット式建物は、複数のユニットを組み立てて建築されるプレハブ式建物であり、このユニット式建物を構成するユニットには、建物の主要部分を構成する主ユニットと、この主ユニットに付属する付属部品としてユニット化された付属ユニットとがある。
【００２１】
前者の主ユニットとしては、標準ユニット（最も標準的な高さ寸法を有する矩形形状のユニット）、階高ユニット（標準ユニットよりも高さ寸法の大きい矩形形状のユニット）、階低ユニット（標準ユニットよりも高さ寸法の小さい矩形形状のユニット）、台形ユニット（台形形状を有するユニット）、セットバックユニット（基準位置から引っ込んで配置される引っ込みユニット）、カーポートユニット（車庫ユニット）、インナーバルコニ内設ユニット（ユニットの内部にバルコニが設けられたユニット）、オーバーハングユニット（基準位置より外側に突出する部分を有するユニット）、下屋用フラット屋根ユニット（下屋用の平坦な屋根を形成するためのユニット）、ピロティユニット（柱の並んだ吹放ちの空間が形成されたユニット）等が用意されている。また、前者の主ユニットとして、歩行屋根ユニット（上側を歩行できる屋根を形成するためのユニット）、本屋用フラット屋根ユニット（本屋用の平坦な屋根を形成するためのユニット）、三角ユニット（三角屋根の端部を形成するためのユニット）、センターユニット（三角屋根の中央部分を形成するためのユニット）等も用意されている。
【００２２】
一方、後者の付属ユニットとしては、ペントハウスユニット（屋上空間とその下の階の空間とを連絡するユニット）、バルコニーユニット、ハンガーユニット（主ユニットにぶら下がる状態で配置されるユニット）、庇ユニット等が用意されている。
【００２３】
図１において、付属部品入力システム１０は、基本設計およびその段階の周辺支援を行う基本設計システム１１と、生産設計およびその周辺支援を行う生産準備システム１２とで構成されている。
各システム１１，１２は、それぞれが既存のコンピュータシステムにより構成され、設定された処理プログラムに基づいて対話式の入力操作により所定の設計作業を実行するものである。
【００２４】
各システム１１，１２は、それぞれ操作入力を行うための画像表示装置（ビットマップ式ディスプレイ等）および入力装置（文字やコマンド入力用のキーボード、位置指定用のマウス、ライトペン、タブレット、デジタイザ等）を備えるとともに、作成した図面等の設計情報を出力するための印刷装置（プリンタ、プロッタ等）および記憶装置（磁気ディスク等）ないしは他のコンピュータシステムに接続する通信装置を備えている。これらは何れも既存の機器から適宜選択されたものである。
【００２５】
基本設計システム１１は、施主１３の注文に基づいて営業担当者１４により操作されるものであり、主ユニットおよび付属ユニットの各設計情報を記憶する設計要素データベース２０と、主ユニットおよび付属ユニットをユニット式建物の各階毎に作図設計される各階用平面図若しくは屋根伏図からなる入力図上で入力するユニット入力手段３０と、このユニット入力手段３０により入力された主ユニットおよび付属ユニットの各々にユニットコードを割り付けるユニットコード割付手段４０とを備えて構成されている。
【００２６】
ユニットコード割付手段４０は、ユニットの種類を示す種類コードを割り付ける種類コード割付部４１と、所属階を示す所属階コードを割り付ける所属階コード割付部４２と、所属階における水平位置を示す水平位置コードを割り付ける水平位置コード割付部４３とを有している。
【００２７】
このうち水平位置コード割付部４３は、主ユニットに割り付けられるユニットコードを組成する水平位置コードと、この主ユニットに付属する付属ユニットに割り付けられるユニットコードを組成する水平位置コードとを同一に割り付けるようになっている。また、水平位置コード割付部４３は、各入力図上（例えば、２階平面図上と３階平面図上と）で同一の水平位置に配置される主ユニットに割り付けられるユニットコードを組成する水平位置コードを同一に割り付けるようになっている。
【００２８】
所属階コード割付部４２は、付属ユニットに割り付けられるユニットコードを組成する所属階コードを、この付属ユニットの入力作業の行われた入力図によって示される階に所属するものとして仮に割り付けるようになっている。
【００２９】
さらに、基本設計システム１１は、付属ユニットに割り付けられたユニットコードを組成する種類コードの情報に基づいてこの付属ユニットが入力作業の行われた入力図によって示される階に所属するのかあるいはその下の階に所属するのかを判別する判別手段５０と、この判別手段５０により入力図によって示される階の下の階に所属する付属ユニットと判別されたものについて所属階コードを下の階に自動的に変換する変換手段６０とを備えている。
【００３０】
生産準備システム１２は、建物メーカーの設計部門等に設置され、メーカー設計者１５が基本設計システム１１により作成された基本設計情報１１Ａに基づいて建物の生産設計を行うものであり、生産設計に必要な各種の情報（基本設計で指定された各部品に関する詳細な情報および設計ルール等）を記憶する設計要素データベース１２Ｂと、この設計要素データベース１２Ｂに記憶された情報を読み込んで所望のユニット式建物を設計するために必要な生産設計情報１２Ａを入力作成する生産設計情報入力手段１２Ｃとを備えて構成されている。
【００３１】
この生産準備システム１２は、メーカー設計者１５が操作して基本設計情報１１Ａの内容を具体的に展開し、工場生産等に必要な個々の部品の詳細な部品図、その組み立てを示す組立図、生産および施工に関する工程図（作業の指示や作業途中の状態の図示等を含むマニュアル）などを生産設計情報１２Ａとして作成するものである。そして、このような生産設計情報１２Ａは、工場生産がユニット単位で行われることから、ユニット式建物を構成する各ユニット毎にまとめられる。
【００３２】
以下では、ユニットコード割付手段４０によるユニットコードの割り付けルール（採番ルール）を説明する。
ユニットコードの構成は、「ユニットコード＝種類コード＋所属階コード＋水平位置コード」である。ここで、種類コードは英文字１桁、所属階コードは数字１桁、水平位置コードは数字２桁であり、これらはこの順に結合され、従って、ユニットコードは英数文字４桁により構成されている。但し、このような桁数に限定されるものではなく、例えば、ユニットの種類が増えた場合には種類コードを２桁以上にする等してもよい。
【００３３】
種類コード（ユニットコードの１桁目）には、例えば、次のようなものがある。
Ｕ：主に建物本体の主要部分を構成する主ユニット（標準ユニット、階高ユニット、階低ユニット、台形ユニット、セットバックユニット、カーポートユニット、インナーバルコニ内設ユニット、オーバーハングユニット、下屋用フラット屋根ユニット、ピロティユニット等）
Ｖ：主に屋根の主要部分を構成する主ユニット（歩行屋根ユニット、本屋用フラット屋根ユニット、三角ユニット、センターユニット等）
【００３４】
Ｗ：ペントハウスユニット
Ｃ：主ユニットの短辺に付く、バルコニユニット（キャンチバルコニユニット、脚付バルコニユニット、コーナーバルコニユニット、ハンガーユニットの上に設置されるフラワーバスケット、インナーバルコニ内設ユニットの前に設置されるバルコニユニット）
Ｅ：主ユニットの短辺に付く、バルコニユニット（一つの主ユニットに対して一番目のバルコニユニットにＣを付けた場合の二番目のバルコニユニット）
Ｄ：主ユニットの長辺に付く、バルコニユニット
Ｂ：主ユニットの短辺に付く、セットバックバルコニユニット（付属されるべき主ユニットが下の階のユニットよりも引っ込んでセットバック状態で配置される場合においてそのセットバック位置に設置されるバルコニユニット）
Ａ：主ユニットの長辺に付く、セットバックバルコニユニット
Ｓ：主ユニットの短辺に付く、ハンガーユニット
Ｔ：主ユニットの短辺に付く、ハンガーユニット（一つの主ユニットに対して一番目のハンガーユニットにＳを付けた場合の二番目のハンガーユニット）
Ｌ：主ユニットの長辺に付く、ハンガーユニット
Ｇ：主ユニットの長辺に付く、庇ユニット
Ｈ：主ユニットの短辺に付く、庇ユニット
Ｊ：主ユニットの短辺に付く、庇ユニット（一つの主ユニットに対して一番目の庇ユニットにＨを付けた場合の二番目の庇ユニット）
Ｑ：主ユニットの長辺に付く、軒先ユニット
Ｒ：階段ユニット
Ｙ：玄関庇ユニット
【００３５】
所属階コード（ユニットコードの２桁目）は、例えば、次のように割り付けられる。
１：１階平面図上でユニットを配置した時
２：２階平面図上でユニットを配置した時
３：３階平面図上でユニットを配置した時
２：１階屋根伏図上で本屋用フラット屋根ユニットを配置した時
３：２階屋根伏図上で本屋用フラット屋根ユニットを配置した時
４：３階屋根伏図上で本屋用フラット屋根ユニットを配置した時
【００３６】
水平位置コード（ユニットコードの３、４桁目）は、各階用平面図若しくは屋根伏図からなる入力図上（画像表示装置の画面上）においてユニットを順次入力していくと、入力した順に「０１」、「０２」、「０３」、…のように各ユニットに自動的に割り付けられていく。なお、水平位置コードの割り付けは、このような入力順に限定されるものではなく、水平位置を示す座標で割り付けるようにしてもよい。
水平位置コードは、上下階とも同一の水平位置に配置されるユニットについては、同じ番号が割り付けられる。従って、２階以上の階に配置されるユニットの水平位置コードは、１階の同じ水平位置に既に配置されているユニットと同じ番号が自動的に割り付けられる。
【００３７】
このような本実施形態においては、以下のようにして所望のユニット式建物を設計する。
図２のような複数の主ユニットである標準ユニット１１０を組み立てて成る二階建てのユニット式建物１００を設計する場合には、図３の如く、先ず、ユニット入力手段３０により、入力図である１階平面図上（画像表示装置の画面上）で、ユニット式建物１００の１階部分を構成する標準ユニット１１０の入力を順次行う。
すると、各標準ユニット１１０には、ユニットコード割付手段４０により、入力順に従って「Ｕ１０１」、「Ｕ１０２」、「Ｕ１０３」、「Ｕ１０４」、「Ｕ１０５」、「Ｕ１０６」なるユニットコードが自動的に割り付けられていく。
【００３８】
続いて、ユニット入力手段３０により、入力図である２階平面図上（画像表示装置の画面上）で、ユニット式建物１００の２階部分を構成する標準ユニット１１０の入力を順次行う。
すると、各標準ユニット１１０には、ユニットコード割付手段４０により、「Ｕ２０１」、「Ｕ２０２」、「Ｕ２０３」、「Ｕ２０４」なるユニットコードが自動的に割り付けられていく。この際、「Ｕ２０１」、「Ｕ２０２」、「Ｕ２０３」、「Ｕ２０４」の各標準ユニット１１０は、１階の「Ｕ１０１」、「Ｕ１０２」、「Ｕ１０３」、「Ｕ１０４」の各標準ユニット１１０の直上に配置されたものであり、それぞれ水平位置コードが１階と２階とで同一となっている。
【００３９】
図４のような二階建てのユニット式建物１２０を設計する場合には、図５の如く、ユニット入力手段３０により、前述の図３の場合と同様にして、１階平面図および２階平面図上で、ユニット式建物１２０の１階部分および２階部分を構成する標準ユニット１１０の入力を行う。すると、ユニットコード割付手段４０により、前述の図３の場合と同様に各標準ユニット１１０にユニットコードが割り付けられていく。
【００４０】
図６のような平面的大きさが異なるか若しくは配置方向の異なる複数の主ユニットである標準ユニット１３１，１３２，１３３を組み立てて成る二階建てのユニット式建物１３０を設計する場合には、図７の如く、先ず、ユニット入力手段３０により、入力図である１階平面図上（画像表示装置の画面上）で、ユニット式建物１３０の１階部分を構成する標準ユニット１３１〜１３３の入力を順次行う。
すると、各標準ユニット１３１〜１３３には、ユニットコード割付手段４０により、入力順に従って「Ｕ１０１」〜「Ｕ１０７」なるユニットコードが自動的に割り付けられていく。
【００４１】
続いて、ユニット入力手段３０により、入力図である２階平面図上（画像表示装置の画面上）で、ユニット式建物１３０の２階部分を構成する標準ユニット１３２，１３３の入力を順次行う。
すると、各標準ユニット１３２，１３３には、ユニットコード割付手段４０により、１階の「Ｕ１０１」、「Ｕ１０２」、「Ｕ１０４」に対応して、「Ｕ２０１」、「Ｕ２０２」、「Ｕ２０４」なるユニットコードが自動的に割り付けられていく。
【００４２】
図８のようなフラット屋根を有する二階建てのユニット式建物１４０を設計する場合には、初期値を「２階、２階フラット屋根」とする。このユニット式建物１４０は、１階部分および２階部分を標準ユニット１１０により構成され、屋根部分を本屋用フラット屋根ユニット１４１で構成されている。
【００４３】
先ず、ユニット入力手段３０により、入力図である１階平面図および２階平面図上（画像表示装置の画面上）で、ユニット式建物１４０の１階部分および２階部分を構成する標準ユニット１１０の入力を行う。すると、ユニットコード割付手段４０により、各標準ユニット１１０にユニットコードが割り付けられていく。
【００４４】
続いて、ユニット入力手段３０により、入力図である２階屋根伏図上（画像表示装置の画面上）で、ユニット式建物１４０の屋根部分を構成する本屋用フラット屋根ユニット１４１の入力を行う。すると、ユニットコード割付手段４０により、各本屋用フラット屋根ユニット１４１に「Ｖ３０１」、「Ｖ３０２」、「Ｖ３０４」、「Ｖ３０５」なるユニットコードが割り付けられていく。
【００４５】
図１０のような歩行可能な屋上空間を有する二階建て（屋上部分を含めると三階となる）のユニット式建物１５０を設計する場合には、初期値を「２階屋上」とする。このユニット式建物１５０は、１階部分および２階部分を標準ユニット１１０により構成され、屋上の屋根部分を本屋用フラット屋根ユニット１４１で構成されている。また、屋上には、ペントハウスユニット１５１が設けられている。
【００４６】
このようなユニット式建物１５０の設計の際には、図１１の如く、前述の図９において入力図である２階屋根伏図上で本屋用フラット屋根ユニット１４１の入力を行っていたものを、入力図である３階平面図上（画像表示装置の画面上）で本屋用フラット屋根ユニット１４１の入力を行うようにすることを除き、前述の図９の場合と同様にユニット入力手段３０による入力作業およびユニットコード割付手段４０によるユニットコードの割り付けが行われる。
【００４７】
図１２には、前述した図１０のユニット式建物１５０の設計において付属ユニットであるペントハウスユニット１５１を入力する状態が示されている。
この場合には、入力図である３階平面図上（画像表示装置の画面上）において、ユニット入力手段３０により、既に入力配置されている本屋用フラット屋根ユニット１４１の一部に重ねるようにペントハウスユニット１５１を入力する。すると、ユニットコード割付手段４０により、ペントハウスユニット１５１に「Ｗ３０１」なるユニットコードが割り付けられる。この際、ユニットコード「Ｗ３０１」の下２桁（水平位置コード）は、ペントハウスユニット１５１がユニットコード「Ｖ３０１」の主ユニットである本屋用フラット屋根ユニット１４１に付属するので、ユニットコード「Ｖ３０１」の下２桁（水平位置コード）と同一の番号となっている。
【００４８】
図１３には、２階部分にバルコニを有するユニット式建物１６０が示されている。
ユニット式建物１６０は、１階部分および２階部分を標準ユニット１１０により構成され、バルコニ部分を標準ユニット１１０の短辺に付くバルコニユニット１６１、短辺に付きかつコーナーに配置されるバルコニユニット（コーナーバルコニユニット）１６２、および長辺に付くバルコニユニット１６３で構成されている。
【００４９】
この場合に付属ユニットであるバルコニユニット１６１〜１６３を入力する際には、図１４の如く、入力図である２階平面図上（画像表示装置の画面上）において、ユニット入力手段３０により、既に入力配置されている主ユニットである標準ユニット１１０の短辺および長辺に沿って各バルコニユニット１６１〜１６３を入力する。すると、ユニットコード割付手段４０により、各バルコニユニット１６１〜１６３に「Ｃ２０４」、「Ｃ２０５」、「Ｃ２０６」、「Ｄ２０３」、「Ｄ２０６」なるユニットコードが割り付けられる。この際、ユニットコード「Ｃ２０４」、「Ｃ２０５」、「Ｃ２０６」、「Ｄ２０３」、「Ｄ２０６」の下２桁（水平位置コード）は、これらの付属ユニットが付属する主ユニットのユニットコード「Ｕ２０４」、「Ｕ２０５」、「Ｕ２０６」、「Ｕ２０３」、「Ｕ２０６」の下２桁（水平位置コード）に対応して同一の番号を割り付けられている。
【００５０】
図１５には、２階部分の短辺方向に沿って形成されたセットバック位置にバルコニを有するユニット式建物１７０が示されている。
ユニット式建物１７０は、１階部分および２階部分を平面的大きさの異なる複数の標準ユニット１７１，１７２により構成され、バルコニ部分を２階の標準ユニット１７１の短辺に付きかつセットバック位置に配置されるセットバックバルコニユニット１７３とこのセットバックバルコニユニット１７３の前に連結配置されるキャンチバルコニユニット１７４とで構成されている。標準ユニット１７１は、標準ユニット１７２よりも小さく、これによりセットバックバルコニユニット１７３を配置すべき場所が形成されている。
【００５１】
この場合に付属ユニットであるバルコニユニット１７３，１７４を入力する際には、図１６の如く、入力図である２階平面図上（画像表示装置の画面上）において、ユニット入力手段３０により、既に入力配置されている主ユニットである標準ユニット１７１の短辺側に各バルコニユニット１７３，１７４を入力する。すると、ユニットコード割付手段４０により、各バルコニユニット１７３に「Ｂ２０３」、「Ｂ２０４」、また、各バルコニユニット１７４に「Ｃ２０３」、「Ｃ２０４」なるユニットコードが割り付けられる。この際、ユニットコード「Ｂ２０３」、「Ｂ２０４」および「Ｃ２０３」、「Ｃ２０４」の下２桁（水平位置コード）は、これらの付属ユニットが付属する主ユニットのユニットコード「Ｕ２０３」、「Ｕ２０４」の下２桁（水平位置コード）に対応して同一の番号を割り付けられている。
【００５２】
図１７には、２階部分の長辺方向に沿って形成されたセットバック位置にバルコニを有するユニット式建物１８０が示されている。
ユニット式建物１８０は、１階部分および２階部分を複数の標準ユニット１１０により構成され、バルコニ部分を２階の標準ユニット１１０の長辺に付きかつセットバック位置に配置されるセットバックバルコニユニット１８１とこのセットバックバルコニユニット１８１の前に連結配置されるキャンチバルコニユニット１８２とで構成されている。
【００５３】
この場合に付属ユニットであるバルコニユニット１８１，１８２を入力する際には、図１８の如く、入力図である２階平面図上（画像表示装置の画面上）において、ユニット入力手段３０により、既に入力配置されている主ユニットである標準ユニット１１０の長辺側に各バルコニユニット１８１，１８２を入力する。すると、ユニットコード割付手段４０により、各バルコニユニット１８１に「Ａ２０３」、「Ａ２０６」、また、各バルコニユニット１８２に「Ｄ２０３」、「Ｄ２０６」なるユニットコードが割り付けられる。この際、ユニットコード「Ａ２０３」、「Ａ２０６」および「Ｄ２０３」、「Ｄ２０６」の下２桁（水平位置コード）は、これらの付属ユニットが付属する主ユニットのユニットコード「Ｕ２０３」、「Ｕ２０６」の下２桁（水平位置コード）に対応して同一の番号を割り付けられている。
【００５４】
図１９には、３階部分にインナーバルコニ（ユニット内部に設置されるバルコニ）を有するユニット式建物１９０が示されている。
ユニット式建物１９０は、１階部分および２階部分を複数の標準ユニット１１０により構成され、３階部分をインナーバルコニ内設ユニット１９１で構成されている。また、１階部分および２階部分の標準ユニット１１０の長辺側には、ハンガーユニット１９２が設けられている。
【００５５】
この場合に付属ユニットであるバルコニユニット１９３をインナーバルコニ内設ユニット１９１の前に設置するとともに、付属ユニットであるフラワーバスケット１９４をハンガーユニット１９２の上に設置する際には、図２０の如く、入力図である３階平面図上（画像表示装置の画面上）において、ユニット入力手段３０により、既に入力配置されている主ユニットであるインナーバルコニ内設ユニット１９１の短辺側にバルコニユニット１９３を入力するとともに、長辺側にフラワーバスケット１９４を入力する。すると、ユニットコード割付手段４０により、バルコニユニット１９３に「Ｃ３０２」、また、フラワーバスケット１９４に「Ｄ３０３」なるユニットコードが割り付けられる。この際、ユニットコード「Ｃ３０２」、「Ｄ３０３」の下２桁（水平位置コード）は、これらの付属ユニットが付属する主ユニットのユニットコード「Ｕ３０２」、「Ｕ３０３」の下２桁（水平位置コード）に対応して同一の番号を割り付けられている。
【００５６】
図２１には、３階部分を構成する各ユニットの両方の短辺側にバルコニを設けたユニット式建物２１０が示されている。
ユニット式建物２１０は、１階、２階、３階部分を複数の標準ユニット１１０により構成されている。また、３階部分を構成する各標準ユニット１１０の両方の短辺側には、バルコニユニット２１１が設けられている。
【００５７】
この場合に付属ユニットであるバルコニユニット２１１を入力する際には、図２２の如く、入力図である３階平面図上（画像表示装置の画面上）において、ユニット入力手段３０により、既に入力配置されている主ユニットである標準ユニット１１０の一方の短辺側にバルコニユニット２１１を入力するとともに、他方の短辺側にもバルコニユニット２１１を入力する。すると、ユニットコード割付手段４０により、各標準ユニット１１０に対し、一番目に入力されたバルコニユニット２１１に「Ｃ３０１」、「Ｃ３０２」、「Ｃ３０３」なるユニットコードが割り付けられ、また、二番目に入力されたバルコニユニット２１１に「Ｅ３０１」、「Ｅ３０２」、「Ｅ３０３」なるユニットコードが割り付けられる。この際、ユニットコード「Ｃ３０１」、「Ｃ３０２」、「Ｃ３０３」および「Ｅ３０１」、「Ｅ３０２」、「Ｅ３０３」の下２桁（水平位置コード）は、これらの付属ユニットが付属する主ユニットのユニットコード「Ｕ３０１」、「Ｕ３０２」、「Ｕ３０３」の下２桁（水平位置コード）に対応して同一の番号を割り付けられている。
【００５８】
図２３には、２階部分にオーバーハング部分を有するユニット式建物２２０が示されている。
ユニット式建物２２０は、１階部分および２階部分を複数の標準ユニット１１０により構成されている。また、２階部分を構成する標準ユニット１１０の短辺側および長辺側には、ハンガーユニット２２１，２２２が設けられている。
【００５９】
この場合に付属ユニットであるハンガーユニット２２１，２２２を入力する際には、図２４の如く、入力図である２階平面図上（画像表示装置の画面上）において、ユニット入力手段３０により、既に入力配置されている主ユニットである標準ユニット１１０の短辺側にハンガーユニット２２１を入力するとともに、長辺側にハンガーユニット２２２を入力する。すると、ユニットコード割付手段４０により、各ハンガーユニット２２１に「Ｓ２０４」、「Ｓ２０５」、また、各ハンガーユニット２２２に「Ｌ２０３」、「Ｌ２０６」なるユニットコードが割り付けられる。この際、ユニットコード「Ｓ２０４」、「Ｓ２０５」、「Ｌ２０３」、「Ｌ２０６」の下２桁（水平位置コード）は、これらの付属ユニットが付属する主ユニットのユニットコード「Ｕ２０４」、「Ｕ２０５」、「Ｕ２０３」、「Ｕ２０６」の下２桁（水平位置コード）に対応して同一の番号を割り付けられている。
【００６０】
図２５には、３階部分を構成する各ユニットの両方の短辺側にオーバーハング部分を有するユニット式建物２３０が示されている。
ユニット式建物２３０は、１階、２階、３階部分を複数の標準ユニット１１０により構成されている。また、３階部分を構成する標準ユニット１１０の両方の短辺側には、ハンガーユニット２３１が設けられている。
【００６１】
この場合に付属ユニットであるハンガーユニット２３１を入力する際には、図２６の如く、入力図である３階平面図上（画像表示装置の画面上）において、ユニット入力手段３０により、既に入力配置されている主ユニットである標準ユニット１１０の一方の短辺側にハンガーユニット２３１を入力するとともに、他方の短辺側にもハンガーユニット２３１を入力する。すると、ユニットコード割付手段４０により、各標準ユニット１１０に対し、一番目に入力されたハンガーユニット２３１に「Ｓ３０１」、「Ｓ３０２」なるユニットコードが割り付けられ、また、二番目に入力されたハンガーユニット２３１に「Ｔ３０１」、「Ｔ３０２」なるユニットコードが割り付けられる。この際、ユニットコード「Ｓ３０１」、「Ｓ３０２」および「Ｔ３０１」、「Ｔ３０２」の下２桁（水平位置コード）は、これらの付属ユニットが付属する主ユニットのユニットコード「Ｕ３０１」、「Ｕ３０２」の下２桁（水平位置コード）に対応して同一の番号を割り付けられている。
【００６２】
図２７には、フラット屋根の外周の一部分に庇を設けたユニット式建物２４０が示されている。
ユニット式建物２４０は、１階、２階、３階部分を複数の標準ユニット１１０により構成され、屋根部分を本屋用フラット屋根ユニット２４１および庇ユニット２４２，２４３で構成されている。
【００６３】
この場合に付属ユニットである庇ユニット２４２，２４３を入力する際には、図２８の如く、入力図である３階屋根伏図上（画像表示装置の画面上）において、ユニット入力手段３０により、既に入力配置されている主ユニットである本屋用フラット屋根ユニット２４１の短辺側に庇ユニット２４２を入力するとともに、長辺側に庇ユニット２４３を入力する。すると、ユニットコード割付手段４０により、各庇ユニット２４２に「Ｈ４０４」、「Ｈ４０５」、「Ｈ４０６」なるユニットコードが割り付けられ、また、各庇ユニット２４３に「Ｇ４０３」、「Ｇ４０６」なるユニットコードが割り付けられる。この際、ユニットコード「Ｈ４０４」、「Ｈ４０５」、「Ｈ４０６」、「Ｇ４０３」、「Ｇ４０６」の下２桁（水平位置コード）は、これらの付属ユニットが付属する主ユニットのユニットコード「Ｕ４０４」、「Ｕ４０５」、「Ｕ４０６」、「Ｕ４０３」、「Ｕ４０６」の下２桁（水平位置コード）に対応して同一の番号を割り付けられている。
【００６４】
図２９には、フラット屋根の外周の全周に庇を設けたユニット式建物２５０が示されている。
ユニット式建物２５０は、１階、２階、３階部分を複数の標準ユニット１１０により構成され、屋根部分を本屋用フラット屋根ユニット２５１および庇ユニット２５２，２５３で構成されている。
【００６５】
この場合に付属ユニットである庇ユニット２５２，２５３を入力する際には、図３０の如く、入力図である３階屋根伏図上（画像表示装置の画面上）において、ユニット入力手段３０により、既に入力配置されている主ユニットである本屋用フラット屋根ユニット２５１の一方の短辺側に庇ユニット２５２を入力するとともに、他方の短辺側にも庇ユニット２５２を入力し、さらに長辺側に庇ユニット２５３を入力する。すると、ユニットコード割付手段４０により、各本屋用フラット屋根ユニット２５１に対し、一番目に入力された庇ユニット２５２に「Ｈ４０１」、「Ｈ４０２」、「Ｈ４０３」なるユニットコードが割り付けられ、また、二番目に入力された庇ユニット２５２に「Ｊ４０１」、「Ｊ４０２」、「Ｊ４０３」なるユニットコードが割り付けられる。この際、ユニットコード「Ｈ４０１」、「Ｈ４０２」、「Ｈ４０３」および「Ｊ４０１」、「Ｊ４０２」、「Ｊ４０３」の下２桁（水平位置コード）は、これらの付属ユニットが付属する主ユニットのユニットコード「Ｖ４０１」、「Ｖ４０２」、「Ｖ４０３」の下２桁（水平位置コード）に対応して同一の番号を割り付けられている。
【００６６】
図３１には、パラペット付フラット屋根に軒先を設けたユニット式建物２６０が示されている。
ユニット式建物２６０は、１階部分および２階部分を複数の標準ユニット１１０により構成され、屋根部分をパラペット付の本屋用フラット屋根ユニット２６１および軒先ユニット２６２で構成されている。
【００６７】
この場合に付属ユニットである軒先ユニット２６２を入力する際には、図３２の如く、入力図である２階屋根伏図上（画像表示装置の画面上）において、ユニット入力手段３０により、既に入力配置されている主ユニットである本屋用フラット屋根ユニット２６１の長辺側に軒先ユニット２６２を入力する。すると、ユニットコード割付手段４０により、各軒先ユニット２６２に「Ｑ３０１」、「Ｑ３０２」、「Ｑ３０５」、「Ｑ３０６」なるユニットコードが割り付けられる。この際、ユニットコード「Ｑ３０１」、「Ｑ３０２」、「Ｑ３０５」、「Ｑ３０６」の下２桁（水平位置コード）は、これらの付属ユニットが付属する主ユニットのユニットコード「Ｖ３０１」、「Ｖ３０２」、「Ｖ３０５」、「Ｖ３０６」の下２桁（水平位置コード）に対応して同一の番号を割り付けられている。
【００６８】
図３３には、階段を有する２階建てのユニット式建物２７０の各階用平面図が示されている。ユニット式建物２７０は、１階部分および２階部分を複数の標準ユニット１１０により構成され、その内部には１階と２階とを連絡する階段ユニット２７１により形成された階段が設けられている。階段ユニット２７１は、主ユニットの内部に設けられる付属部品としてユニット化された付属ユニットである。
【００６９】
この場合に付属ユニットである階段ユニット２７１を入力する際には、図３３の如く、入力図である１階平面図上（画像表示装置の画面上）においては、階段を示す図形が標準ユニット１１０の内部に一部描かれているものの、階段ユニット２７１の形状を決めるような入力作業はここでは行わず、入力図である２階平面図上（画像表示装置の画面上）において、ユニット入力手段３０により、既に入力配置されている主ユニットである標準ユニット１１０の内部に階段ユニット２７１を入力する。すると、例えば、２階平面図上の「Ｕ２０４」なるユニットコードが割り付けられた標準ユニット１１０の内部に階段ユニット２７１を入力した場合には、ユニットコード割付手段４０により、「Ｕ２０４」に従って「Ｒ２０４」なるコードが仮に割り付けられる。
【００７０】
その後、判別手段５０により、階段ユニット２７１という付属ユニットが、入力作業の行われた入力図によって示される階（ここでは、２階）に所属するのかあるいはその下の階（ここでは、１階）に所属するのかを判別する。この際、判別手段５０は、付属ユニットである階段ユニット２７１に割り付けられたユニットコードを組成する種類コード（ここでは、「Ｒ」）の情報に基づいて判別を行う。ここでは、種類コード「Ｒ」に基づいて、階段ユニット２７１が下の階に所属する付属ユニットであるという判別がなされる。つまり、種類コードが、予め付属部品の種類毎に定められた判別のためのルールとなっている。
【００７１】
さらに、判別手段５０により入力図によって示される階の下の階に所属する付属ユニットと判別されたものについて、変換手段６０により、所属階コードを下の階に自動的に変換する。また、判別手段５０により入力図によって示される階にそのまま所属させるべき付属ユニットと判別されたものについては、変換手段６０による変換は行われない。ここでは、判別手段５０により階段ユニット２７１が下の階に所属する付属ユニットと判別されたので、変換手段６０により、階段ユニット２７１のユニットコード「Ｒ２０４」が「Ｒ１０４」に変換され、階段ユニット２７１はその所属階を下の階に移される。
【００７２】
このような変換手段６０による変換は、階段ユニット２７１が１階に収まるものであるにもかかわらず２階平面図上に表示されるため２階平面図上で入力を行わなければならないのに対し、生産設計を行うにあたっては階段ユニット２７１の設計情報は１階の標準ユニット１１０の内部に所属しているべきものであるという理由から行われる。
【００７３】
図３４には、玄関庇を有する２階建てのユニット式建物２８０が示されている。ユニット式建物２８０は、１階部分および２階部分を複数の標準ユニット１１０により構成され、その玄関部分の上方には玄関庇ユニット２８１により形成された玄関庇が設けられている。
【００７４】
この場合に付属ユニットである玄関庇ユニット２８１を入力する際には、図３５の如く、入力図である１階平面図上（画像表示装置の画面上）においては、玄関庇ユニット２８１の入力作業は行わず、入力図である２階平面図上（画像表示装置の画面上）において、ユニット入力手段３０により、既に入力配置されている主ユニットである標準ユニット１１０の短辺側（１階玄関の上方に相当する位置）に玄関庇ユニット２８１を入力する。すると、例えば、１階の「Ｕ１０２」なるユニットコードが割り付けられた標準ユニット１１０が玄関ユニットである際に、その直上に配置される２階平面図上の「Ｕ２０２」なるユニットコードが割り付けられた標準ユニット１１０の短辺側に玄関庇ユニット２８１を入力した場合には、ユニットコード割付手段４０により、「Ｕ２０２」に従って「Ｙ２０２」なるコードが仮に割り付けられる。
【００７５】
その後、判別手段５０により、玄関庇ユニット２８１という付属ユニットが、入力作業の行われた入力図によって示される階（ここでは、２階）に所属するのかあるいはその下の階（ここでは、１階）に所属するのかを判別する。この際、判別手段５０は、付属ユニットである玄関庇ユニット２８１に割り付けられたユニットコードを組成する種類コード（ここでは、「Ｙ」）の情報に基づいて判別を行う。ここでは、種類コード「Ｙ」に基づいて、玄関庇ユニット２８１が下の階に所属する付属ユニットであるという判別がなされる。つまり、種類コードが、予め付属部品の種類毎に定められた判別のためのルールとなっている。
【００７６】
さらに、玄関庇ユニット２８１は、本来、２階に所属するべき設計情報ではなく１階に所属するべき設計情報なので、判別手段５０による判別結果に従って、前述した図３３の階段ユニット２７１の場合と同様に、変換手段６０により、玄関庇ユニット２８１の所属階コードは下の階に自動的に変換される。ここでは、玄関庇ユニット２８１のユニットコード「Ｙ２０２」が「Ｙ１０２」に変換され、玄関庇ユニット２８１はその所属階を下の階に移される。
【００７７】
このような本実施形態によれば、次のような効果がある。
すなわち、付属部品入力システム１０にユニットコード割付手段４０を設け、主ユニットおよびこの主ユニットに付属する付属ユニットに、種類コード、所属階コード、および水平位置コードを組み合わせてなるユニットコードを割り付け、このユニットコードを用いることにより付属ユニットの入力を行うようにしたので、入力した設計情報を効率よく整理でき、その後に行う生産設計や工場生産においても入力情報が錯綜する等の不都合なく確実に情報伝達が行われるようになり、円滑かつ確実な設計や生産を行うことができる。
【００７８】
また、付属部品入力システム１０に判別手段５０および変換手段６０を設けたので、例えば階段ユニット２７１や玄関庇ユニット２８１等の場合のように、必要な場合に付属部品を本来の所属階に自動的に配置し直すことができるため、オペレータがこのような判別を自ら行いながら入力作業を行う必要がなくなり、オペレータの負担を軽減できるうえ、入力ミスの発生のおそれも解消できる。このため、付属部品の円滑かつ確実な入力を実現でき、設計効率の向上を図ることができる。
【００７９】
さらに、屋根の設計にあたっては、屋根の主要部分を形成するための主ユニットと、この屋根に付属して設けられる庇ユニットや軒先ユニット等の付属ユニットとを分けてシステム１０に登録しておき、これらの設計情報を組み合せることで様々な屋根のバリエーション展開に対応できるようにしたので、各種形態の屋根とその付属部品とを分けて登録しない従来の場合に比べ、システムへのパターン登録量を減少させることができるため、入力時の検索時間を短縮でき、設計作業の迅速化を図ることができる。
【００８０】
【発明の効果】
以上に述べたように本発明によれば、ユニット式建物の設計においてユニットに付属する付属部品を入力するにあたり、付属部品が本来所属する階への変換を自動的に行う、あるいはユニットコードを用いて設計情報を管理するという特徴的な工夫を凝らしたので、付属部品を円滑かつ確実に入力することができるという効果がある。
【図面の簡単な説明】
【図１】本発明の一実施形態のユニット式建物設計用ＣＡＤの付属部品入力システムを示す構成図。
【図２】前記システムによる設計対象である第１のユニット式建物の概略斜視図。
【図３】前記第１のユニット式建物を設計する際の処理流れを示す説明図。
【図４】前記システムによる設計対象である第２のユニット式建物の概略斜視図。
【図５】前記第２のユニット式建物を設計する際の処理流れを示す説明図。
【図６】前記システムによる設計対象である第３のユニット式建物の概略斜視図。
【図７】前記第３のユニット式建物を設計する際の処理流れを示す説明図。
【図８】前記システムによる設計対象である第４のユニット式建物の概略斜視図。
【図９】前記第４のユニット式建物を設計する際の処理流れを示す説明図。
【図１０】前記システムによる設計対象である第５のユニット式建物の概略斜視図。
【図１１】前記第５のユニット式建物を設計する際の処理流れを示す説明図。
【図１２】前記第５のユニット式建物を設計する際の別の処理流れを示す説明図。
【図１３】前記システムによる設計対象である第６のユニット式建物の概略斜視図。
【図１４】前記第６のユニット式建物を設計する際の処理流れを示す説明図。
【図１５】前記システムによる設計対象である第７のユニット式建物の概略斜視図。
【図１６】前記第７のユニット式建物を設計する際の処理流れを示す説明図。
【図１７】前記システムによる設計対象である第８のユニット式建物の概略斜視図。
【図１８】前記第８のユニット式建物を設計する際の処理流れを示す説明図。
【図１９】前記システムによる設計対象である第９のユニット式建物の概略斜視図。
【図２０】前記第９のユニット式建物を設計する際の処理流れを示す説明図。
【図２１】前記システムによる設計対象である第１０のユニット式建物の概略斜視図。
【図２２】前記第１０のユニット式建物を設計する際の処理流れを示す説明図。
【図２３】前記システムによる設計対象である第１１のユニット式建物の概略斜視図。
【図２４】前記第１１のユニット式建物を設計する際の処理流れを示す説明図。
【図２５】前記システムによる設計対象である第１２のユニット式建物の概略斜視図。
【図２６】前記第１２のユニット式建物を設計する際の処理流れを示す説明図。
【図２７】前記システムによる設計対象である第１３のユニット式建物の概略斜視図。
【図２８】前記第１３のユニット式建物を設計する際の処理流れを示す説明図。
【図２９】前記システムによる設計対象である第１４のユニット式建物の概略斜視図。
【図３０】前記第１４のユニット式建物を設計する際の処理流れを示す説明図。
【図３１】前記システムによる設計対象である第１５のユニット式建物の概略立面図。
【図３２】前記第１５のユニット式建物を設計する際の処理流れを示す説明図。
【図３３】前記システムによる設計対象である第１６のユニット式建物を設計する際の処理流れを示す説明図。
【図３４】前記システムによる設計対象である第１７のユニット式建物の概略立面図。
【図３５】前記第１７のユニット式建物を設計する際の処理流れを示す説明図。
【符号の説明】
１０  付属部品入力システム
３０  ユニット入力手段
４０  ユニットコード割付手段
４１  種類コード割付部
４２  所属階コード割付部
４３  水平位置コード割付部
５０  判別手段
６０  変換手段
１００，１２０，１３０，１４０，１５０，１６０，１７０，１８０，１９０，２１０，２２０，２３０，２４０，２５０，２６０，２７０，２８０  ユニット式建物
１１０，１３１，１３２，１３３，１７１，１７２  主ユニットである標準ユニット
１４１，２４１，２５１，２６１  主ユニットである本屋用フラット屋根ユニット
１５１  付属ユニットであるペントハウスユニット
１６１〜１６３，１７３，１７４，１８１，１８２，１９３，２１１  付属ユニットであるバルコニユニット
１９４  付属ユニットであるフラワーバスケット
２２１，２２２，２３１  付属ユニットであるハンガーユニット
２４２，２４３，２５２，２５３  付属ユニットである庇ユニット
２６２  付属ユニットである軒先ユニット
２７１  付属ユニットである階段ユニット
２８１  付属ユニットである玄関庇ユニット
【図１】
0003810850.tif 000002
【図２】
0003810850.tif 000003
【図３】
0003810850.tif 000004
【図４】
0003810850.tif 000005
【図５】
0003810850.tif 000006
【図６】
0003810850.tif 000007
【図７】
0003810850.tif 000008
【図８】
0003810850.tif 000009
【図９】
0003810850.tif 000010
【図１０】
0003810850.tif 000011
【図１１】
0003810850.tif 000012
【図１２】
0003810850.tif 000013
【図１３】
0003810850.tif 000014
【図１４】
0003810850.tif 000015
【図１５】
0003810850.tif 000016
【図１６】
0003810850.tif 000017
【図１７】
0003810850.tif 000018
【図１８】
0003810850.tif 000019
【図１９】
0003810850.tif 000020
【図２０】
0003810850.tif 000021
【図２１】
0003810850.tif 000022
【図２２】
0003810850.tif 000023
【図２３】
0003810850.tif 000024
【図２４】
0003810850.tif 000025
【図２５】
0003810850.tif 000026
【図２６】
0003810850.tif 000027
【図２７】
0003810850.tif 000028
【図２８】
0003810850.tif 000029
【図２９】
0003810850.tif 000030
【図３０】
0003810850.tif 000031
【図３１】
0003810850.tif 000032
【図３２】
0003810850.tif 000033
【図３３】
0003810850.tif 000034
【図３４】
0003810850.tif 000035
【図３５】
0003810850.tif 000036